(57)【要約】【課題】記憶させたデータを非接触で読み取ることができる半導体チップを応用して、画像形成の設定を原稿に記憶させる。【解決手段】ＵＩ部５０２は、ユーザの操作を受け入れる。設定選択部５０４は、この操作を、原稿に付されたＩＣチップの設定情報に従った処理を指示するか、ユーザにより入力される設定情報に従った処理を指示するかを判断する。前者の場合、動作制御部５０６は、データ読取部５２０を制御して、原稿に付されたＩＣチップから設定情報を読み出させ、この設定情報に従って印刷・ＦＡＸ送信などを行わせるように印刷制御部５１０などを制御する。後者の場合、動作制御部５０６は、データ書込部５２２を制御して、ユーザにより入力された設定情報をＩＣチップ３に書き込ませる。【選択図】　　　　　図６
2004088583.tif 000002
【特許請求の範囲】
【請求項１】
画像が表示された画像表示部材と、画像形成装置とを有する画像形成システムであって、
前記画像表示部材は、
外部から書き込まれる情報を記憶し、前記記憶した情報を外部に対して提供する情報記憶手段
を有し、
前記画像形成装置は、
外部から入力される設定を受け入れる設定受入手段と、
前記表示された画像を読み取る画像読取手段と、
前記受け入れられた設定に従って、前記読み取られた画像を形成する画像形成手段と、
前記受け入れられた設定を示す設定情報を、前記情報記憶手段に書き込む情報書込手段と
を有する
画像形成システム。
【請求項２】
前記情報記憶手段は、前記書き込まれた設定情報を外部に対して提供し、
前記画像形成装置は、
前記提供される設定情報を読み出す情報読み出し手段
をさらに有し、
前記画像形成手段は、前記設定情報が読み出された場合には、前記読み出された設定情報に従って、前記読み取られた画像を形成する
請求項１に記載の画像形成システム。
【請求項３】
画像表示部材に表示された画像を形成する画像形成装置であって、前記画像表示部材は、外部から書き込まれる情報を記憶し、前記記憶した情報を外部に対して提供し、
外部から入力される設定を受け入れる設定受入手段と、
前記表示された画像を読み取る画像読取手段と、
前記受け入れられた設定に従って、前記読み取られた画像を形成する画像形成手段と、
前記受け入れられた設定を示す設定情報を、前記情報記憶手段に書き込む情報書込手段と
を有する画像形成装置。
【請求項４】
前記画像表示部材は、前記書き込まれた設定情報を外部に対して提供し、
前記提供される設定情報を読み出す情報読み出し手段
をさらに有し、
前記画像形成手段は、前記設定情報が読み出された場合には、前記読み出された設定情報に従って、前記読み取られた画像を形成する
請求項３に記載の画像形成装置。
【請求項５】
画像表示部材に表示された画像を形成する画像形成方法であって、前記画像表示部材は、外部から書き込まれる情報を記憶し、前記記憶した情報を外部に対して提供し、
外部から入力される設定を受け入れ、
前記表示された画像を読み取り、
前記受け入れられた設定に従って、前記読み取られた画像を形成し、
前記受け入れられた設定を示す設定情報を、前記情報記憶手段に書き込む
画像形成方法。
【請求項６】
前記画像表示部材は、前記書き込まれた設定情報を外部に対して提供し、
前記提供される設定情報を読み出し、
前記設定情報が読み出された場合には、前記読み出された設定情報に従って、前記読み取られた画像を形成する
請求項５に記載の画像形成方法。
【請求項７】
コンピュータを用いた画像形成装置において、画像表示部材に表示された画像を形成するプログラムであって、前記画像表示部材は、外部から書き込まれる情報を記憶し、前記記憶した情報を外部に対して提供し、
外部から入力される設定を受け入れるステップと、
前記表示された画像を読み取るステップと、
前記受け入れられた設定に従って、前記読み取られた画像を形成するステップと、
前記受け入れられた設定を示す設定情報を、前記情報記憶手段に書き込むステップと
を前記コンピュータに実行させるプログラム。
【請求項８】
前記画像表示部材は、前記書き込まれた設定情報を外部に対して提供し、
前記提供される設定情報を読み出すステップ
をさらに前記コンピュータに実行させ、
前記読み取られた画像を形成するステップにおいて、前記設定情報が読み出された場合には、前記読み出された設定情報に従って、前記読み取られた画像を形成する処理を行う
請求項８に記載のプログラム。
【発明の詳細な説明】
【０００１】
【発明の属する技術分野】
本発明は、原稿に付された非接触メモリを用いて機密情報を保護する画像形成システムおよびその方法に関する。
【０００２】
【従来の技術】
例えば、「ＭＹＣＯＭ　ＰＣ　ＷＥＢ，　ＮＥＷＳ　ＨＥＡＤＬＩＮＥ，　（２００２年７月５日；　ｈｔｔｐ：／／ｐｃｗｅｂ．ｍｙｃｏｍ．ｃｏ．ｊｐ／ｎｅｗｓ／２００１／０７／０５／２２．ｈｔｍｌ）」（文献１）は、記憶したデータを、外部から非接触で読み取ることができる小型の半導体チップ（「ミューチップ」）を開示する。
また、「特開２００１−２２９１９９号公報」、「特開２０００−２８５２０３号公報」、「特開２００１−１３４６７２号公報」、「特開２００１−２８３０１１号公報」、「特開２００１−１４８０００号公報」および「特開２００１−２６０５８０号公報」（文献２〜８）は、上述の半導体チップの応用例を開示する。
【０００３】
【発明が解決しようとする課題】
本発明は、上述した背景からなされたものであり、記憶させたデータを非接触で読み取ることができる半導体チップを応用して、画像形成の設定を原稿に記憶させることができる画像形成システムおよびその方法を提供することを目的とする。
また、本発明は、上述のように原稿に記憶させた画像形成の設定を用いて、画像形成を行うことができる画像形成システムおよびその方法を提供することを目的とする。
【０００４】
【課題を解決するための手段】
［画像形成システム］
上記目的を達成するために、本発明にかかる画像形成システムは、画像が表示された画像表示部材と、画像形成装置とを有する画像形成システムであって、前記画像表示部材は、外部から書き込まれる情報を記憶し、前記記憶した情報を外部に対して提供する情報記憶手段を有し、前記画像形成装置は、外部から入力される設定を受け入れる設定受入手段と、前記表示された画像を読み取る画像読取手段と、前記受け入れられた設定に従って、前記読み取られた画像を形成する画像形成手段と、前記受け入れられた設定を示す設定情報を、前記情報記憶手段に書き込む情報書込手段とを有する。
【０００５】
好適には、前記情報記憶手段は、前記書き込まれた設定情報を外部に対して提供し、前記画像形成装置は、前記提供される設定情報を読み出す情報読み出し手段をさらに有し、前記画像形成手段は、前記設定情報が読み出された場合には、前記読み出された設定情報に従って、前記読み取られた画像を形成する。
【０００６】
［画像形成装置］
また、本発明にかかる画像形成装置は、画像表示部材に表示された画像を形成する画像形成装置であって、前記画像表示部材は、外部から書き込まれる情報を記憶し、前記記憶した情報を外部に対して提供し、外部から入力される設定を受け入れる設定受入手段と、前記表示された画像を読み取る画像読取手段と、前記受け入れられた設定に従って、前記読み取られた画像を形成する画像形成手段と、前記受け入れられた設定を示す設定情報を、前記情報記憶手段に書き込む情報書込手段とを有する。
【０００７】
好適には、前記画像表示部材は、前記書き込まれた設定情報を外部に対して提供し、前記提供される設定情報を読み出す情報読み出し手段をさらに有し、前記画像形成手段は、前記設定情報が読み出された場合には、前記読み出された設定情報に従って、前記読み取られた画像を形成する。
【０００８】
［画像形成方法］
また、本発明にかかる画像形成方法は、画像表示部材に表示された画像を形成する画像形成方法であって、前記画像表示部材は、外部から書き込まれる情報を記憶し、前記記憶した情報を外部に対して提供し、外部から入力される設定を受け入れ、前記表示された画像を読み取り、前記受け入れられた設定に従って、前記読み取られた画像を形成し、前記受け入れられた設定を示す設定情報を、前記情報記憶手段に書き込む。
【０００９】
好適には、前記画像表示部材は、前記書き込まれた設定情報を外部に対して提供し、前記提供される設定情報を読み出し、前記設定情報が読み出された場合には、前記読み出された設定情報に従って、前記読み取られた画像を形成する。
【００１０】
［プログラム］
また、本発明にかかるプログラムは、コンピュータを用いた画像形成装置において、画像表示部材に表示された画像を形成するプログラムであって、前記画像表示部材は、外部から書き込まれる情報を記憶し、前記記憶した情報を外部に対して提供し、外部から入力される設定を受け入れるステップと、前記表示された画像を読み取るステップと、前記受け入れられた設定に従って、前記読み取られた画像を形成するステップと、前記受け入れられた設定を示す設定情報を、前記情報記憶手段に書き込むステップとを前記コンピュータに実行させる。
【００１１】
好適には、前記画像表示部材は、前記書き込まれた設定情報を外部に対して提供し、前記提供される設定情報を読み出すステップをさらに前記コンピュータに実行させ、前記読み取られた画像を形成するステップにおいて、前記設定情報が読み出された場合には、前記読み出された設定情報に従って、前記読み取られた画像を形成する処理を行う。
【００１２】
【発明の実施の形態】
以下、本発明の実施形態を説明する。
【００１３】
［コピー複合機１］
図１は、本発明にかかる画像形成方法が適応されるコピー複合機１のハードウェア構成を、その制御装置２を中心に例示する図である。
図１に示すように、コピー複合機１は、制御装置２および装置本体１０から構成される。
制御装置２は、ＣＰＵ２０２およびメモリ２０４などを含む制御装置本体２０、通信装置２２、ＨＤＤ・ＣＤ装置などの記録装置２４、ＬＣＤ表示装置あるいはＣＲＴ表示装置およびキーボード・タッチパネルなどを含むユーザインターフェース装置（ＵＩ装置）２６、および、アンテナ２８０を有するＩＣチップインターフェース（ＩＣチップＩＦ）２８から構成される。
【００１４】
［装置本体１０］
図２は、図１に示した装置本体１０のハードウェア構成を例示する図である。図２に示すように、装置本体１０は、用紙トレイ部１２、ゼログラフィなどにより、画像を、用紙トレイ部１２などから送られてくる印刷用紙４２（図７）にコピーあるいは印刷（以下、コピーと印刷を総称して「印刷」と記す）するプリントエンジン１４、原稿用紙４０の画像を読み取るスキャナ１６、および、原稿用紙４０を送る原稿送り装置１８などから構成される。
また、装置本体１０において、ＩＣチップＩＦ２８およびアンテナ２８０は、原稿用紙４０が搬送される原稿送り装置１８の原稿搬送路の近傍に配設され、ＵＩ装置２６は、装置本体１０の上部に配設される。
【００１５】
つまり、コピー複合機１は、原稿送り装置１８を送られる原稿用紙４０の画像を読み取って印刷する機能、および、この画像をＦＡＸ送信する機能などを有する一般的なコピー複合機に、ＩＣチップＩＦ２８およびアンテナ２８０が付加されたハードウェア構成を採る。
なお、制御装置２（図１）は、図２に示すように、実際には装置本体１０の内部に収容される。
【００１６】
［原稿用紙４０］
図３は、図１，図２に示した原稿用紙４０を例示する図である。
図３に例示するように、原稿用紙４０には、テキストおよびイメージなどの画像が表示され、第１のＩＣチップ３が、貼り付けられる、あるいは、漉き込まれるなどの方法により付されている。
【００１７】
［ＩＣチップ３・ＩＣチップＩＦ２８］
図４は、図３に示した第１のＩＣチップ３の構成を示す図である。
図５は、図１，図２に示したＩＣチップＩＦ２８の構成を示す図である。
図４に示すように、ＩＣチップ３は、アンテナ３００、クロック再生回路３２０、メモリ回路３２２、データ送受信回路３２４および電源回路３２６から構成される。
なお、原稿用紙４０のＩＣチップ３が、アンテナ２８０のごく近傍を通過することが保証されている場合には、アンテナ３００を有さないＩＣチップ３が用いられる場合がある。
【００１８】
また、図５に示すように、ＩＣチップＩＦ２８は、送信回路２８４、受信回路２８６、送受信制御回路２８２、復調回路２８８および変調回路２９０から構成される。
以下に説明するＩＣチップ３およびＩＣチップＩＦ２８の各構成部分の動作により、ＩＣチップＩＦ２８を介して、ＩＣチップ３に情報（データ）が非接触で書き込まれ、ＩＣチップ３に記憶された情報が非接触で読み取られる。
【００１９】
ＩＣチップ３（図４）において、電源回路３２６は、アンテナ３００を介して供給される電波信号を整流して、ＩＣチップ３の各構成部分に対して、それらの動作に必要な電力を供給する。
【００２０】
クロック再生回路３２０は、アンテナ３００を介してＩＣチップＩＦ２８から供給される電波信号から、クロック信号を再生し、メモリ回路３２２およびデータ送受信回路３２４に対して出力する。
【００２１】
メモリ回路３２２は、例えば不揮発性のＲＡＭであって、クロック再生回路３２０から入力されたクロック信号に同期して、データ送受信回路３２４から入力される情報を示すデータを記憶する。
また、メモリ回路３２２は、上記クロック信号に同期して、記憶した情報を示すデータを、データ送受信回路３２４に対して出力する。
【００２２】
データ送受信回路３２４は、アンテナ３００から入力される電場信号からデータを復調し、クロック再生回路３２０から入力されるクロック信号に同期して、メモリ回路３２２に対して出力する。
また、データ送受信回路３２４は、メモリ回路３２２から入力されるデータの値に従って、ＩＣチップＩＦ２８側から供給される電波信号の反射強度を、上記クロック信号に同期して変更する。
このように、メモリ回路３２２が記憶した情報を示すデータは、ＩＣチップＩＦ２８からＩＣチップ３に対して送信された電波信号の反射信号の強度を変更することにより、ＩＣチップ３からＩＣチップＩＦ２８に対して送信される。
【００２３】
ＩＣチップＩＦ２８（図５）において、送受信制御回路２８２は、ＩＣチップＩＦ２８の各構成部分の動作を制御する。
また、送受信制御回路２８２は、制御装置本体２０（第１の印刷・送信プログラム５；図６を参照して後述）から入力されるデータを、復調回路２８８に対して出力する。
また、送受信制御回路２８２は、受信回路２８６により受信され、復調回路２８８により復調されたデータを、制御装置本体２０に対して出力する。
【００２４】
変調回路２９０は、送受信制御回路２８２から入力されるデータで電波信号を変調し、送信回路２８４に対して出力する。
【００２５】
送信回路２８４は、ＩＣチップ３に記憶させるデータおよびクロック信号などを含む電波信号を、アンテナ２８０を介して、ＩＣチップ３に対して送信する。
【００２６】
受信回路２８６は、ＩＣチップ３側からの反射信号を受信し、復調回路２８８に対して出力する。
【００２７】
復調回路２８８は、受信回路２８６から入力される反射信号の変化から、ＩＣチップ３が送信したデータを復調し、送受信制御回路２８２に対して出力する。
【００２８】
［印刷・送信プログラム５］
図６は、制御装置２（図１，図２）により実行され、本発明にかかる画像形成方法を実現する第１の印刷・送信プログラム５の構成を示す図である。
図６に示すように、印刷・送信プログラム５は、画像読取部５００、ＵＩ部５０２、設定選択部５０４、動作制御部５０６、印刷制御部５１０、送信制御部５１２およびＩＣチップ制御部５２から構成される。
ＩＣチップ制御部５２は、データ読取部５２０およびデータ書込部５２２から構成される。
印刷・送信プログラム５は、例えば記録媒体２４０（図１）を介して制御装置２に供給され、メモリ２０４にロードされて実行される。
【００２９】
印刷・送信プログラム５において、画像読取部５００は、動作制御部５０６の制御に従って、原稿送り装置１８およびスキャナ１６（図２）など装置本体１０の構成部分を制御して、原稿用紙４０（図３）などの画像を読み取る。
【００３０】
図７は、印刷・送信プログラム５により印刷用紙４２に印刷される画像を例示する図である。
印刷制御部５１０は、動作制御部５０６の制御に従って、用紙トレイ部１２およびプリントエンジン１４など装置本体１０の構成部分を制御して、画像読取部５００により読み取られた原稿用紙４０の画像を、図７に例示するように、印刷用紙４２に印刷する。
【００３１】
送信制御部５１２は、動作制御部５０６の制御に従って、通信装置２２（図１）など装置本体１０の構成部分を制御して、画像読取部５００により読み取られた原稿用紙４０の画像をＦＡＸ送信する。
【００３２】
ＵＩ部５０２は、ＵＩ装置２６（図１，図２）に対するユーザの操作を受け入れ、コピー複合機１に対する印刷方法の指示、および、ＦＡＸ送信先などを示す設定情報を示すデータを認証部５３０に対して出力する。
【００３３】
データ書込部５２２は、ＩＣチップＩＦ２８を制御して、ＵＩ部５０２から入力される設定情報を示すデータを、ＩＣチップ３（図３，図４）に対して書き込ませる。
【００３４】
データ読取部５２０は、ＩＣチップＩＦ２８を制御して、上述のＩＣチップＩＦ２８に対するデータ書込部５２２の制御によりＩＣチップ３に記憶された設定情報を示すデータを読み出させ、設定選択部５０４に対して出力する。
なお、ＩＣチップ３からのデータが正常に読み取れたか否かは、データ書込部５２２が、エラー検出符号を付してＩＣチップ３にデータを記憶させ、データ読取部５２０が、このデータを読み出したときに、エラーが検出されたか否かをチェックするなどの方法により判断することができる。
【００３５】
設定選択部５０４は、ユーザが、ＵＩ装置２６（図１，図２）に対して明示的あるいは暗黙の内に行う指定に従って、データ読取部５２０がＩＣチップ３から読み取った設定情報、および、ユーザがＵＩ装置２６に対して入力した設定情報のいずれかを選択し、動作制御部５０６に対して出力する。
なお、ユーザが明示的に行う指定の例としては、ＵＩ装置２６の表示装置に、印刷・ＦＡＸ送信のために、ＩＣチップ３から読み取られた設定情報を用いることを指定するためのボタンが用意されている場合に、ユーザがこのボタンを押下する操作などを挙げることができる。
【００３６】
また、ユーザが暗黙の内に行う指定の例としては、ユーザが、ＩＣチップ３から読み取られた設定情報を用いるとも、ＵＩ装置２６に対して行った設定を用いるとも指定せずに、ＵＩ装置２６に用意されたスタートボタンを押下した場合であって、ＩＣチップ３からの設定情報が読み取れた場合には、ＩＣチップ３から読み取った設定情報に従って、これ以外の場合には、コピー複合機１のデフォルトの設定に従って、印刷・ＦＡＸ送信行うと指定したと扱うことなどを挙げることができる。
【００３７】
動作制御部５０６は、設定選択部５０４から入力された設定情報に従って、画像読取部５００、印刷制御部５１０、送信制御部５１２およびデータ書込部５２２などを制御し、印刷およびＦＡＸ送信を行わせる。
つまり、動作制御部５０６は、入力された設定情報が印刷の設定である場合には、画像読取部５００を制御して画像を読み取らせ、印刷制御部５１０を制御して、読み取られた画像を印刷させる。
あるいは、動作制御部５０６は、入力された設定情報がＦＡＸ送信の設定である場合には、画像読取部５００を制御して画像を読み取らせ、送信制御部５１２を制御して、読み取られた画像をＦＡＸ送信させる。
【００３８】
［全体動作］
以下、ユーザが明示的な指定を行う場合を具体例として、コピー複合機１の全体的な動作を説明する。
図８は、コピー複合機１（印刷・送信プログラム５）の動作（Ｓ１０）を示すフローチャートである。
図８に示すように、ステップ１００（Ｓ１００）において、ＵＩ部５０２（図６）は、印刷あるいはＦＡＸ送信を行うために、ＩＣチップ３（図３）から得られる設定情報を用いるか、ユーザが入力する設定情報を用いるかを指定する操作を受け入れる。
【００３９】
ステップ１０２（Ｓ１０２）において、設定選択部５０４は、Ｓ１００の処理において受け入れられたユーザの操作を判断する。
印刷・送信プログラム５は、ユーザが、ＩＣチップ３からの設定情報を用いると指定したと判断した場合にはＳ１２０の処理に進む。
印刷・送信プログラム５は、これ以外の場合には、Ｓ１００の処理において受け入れられた操作が示す設定を設定情報とし、Ｓ１１０の処理に進む。
【００４０】
ステップ１１０（Ｓ１１０）において、動作制御部５０６は、ユーザが入力した設定情報を用いて、印刷処理あるいはＦＡＸ送信を行うように、必要に応じて、画像読取部５００、印刷制御部５１０または送信制御部５１２を制御する。
【００４１】
ステップ１１２（Ｓ１１２）において、動作制御部５０６は、データ書込部５２２およびデータ読取部５２０を制御して、原稿送り装置１８によりアンテナ２８０の近傍を送られている原稿用紙４０に対して電波信号を出力させ、この電波信号に対するＩＣチップ３からの応答を検出する。
【００４２】
ステップ１１４（Ｓ１１４）において、動作制御部５０６は、原稿用紙４０に付されたＩＣチップ３からの応答が検出されたか否かを判断する。
印刷・送信プログラム５は、ＩＣチップ３からの応答が合った場合にはＳ１１６の処理に進み、これ以外の場合には処理を終了する。
【００４３】
ステップ１１６（Ｓ１１６）において、動作制御部５０６は、データ書込部５２２を制御して、Ｓ１００の処理において受け入れられた設定情報を示すデータを、ＩＣチップ３に書き込ませる。
【００４４】
ステップ１２０（Ｓ１２０）において、動作制御部５０６は、データ読取部５２０を制御して、ＩＣチップ３に記憶された設定情報を読み出させる。
【００４５】
ステップ１２２（Ｓ１２２）において、動作制御部５０６は、ＩＣチップ３からの設定情報の読み出しが成功したか否かを判断する。
印刷・送信プログラム５は、読み出しが成功した場合にはＳ１２４の処理に進み、これ以外の場合にはＳ１３０の処理に進む。
【００４６】
ステップ１２４（Ｓ１２４）において、動作制御部５０６は、ＩＣチップ３から読み出された設定情報を用いて、印刷処理あるいはＦＡＸ送信を行うように、必要に応じて、画像読取部５００、印刷制御部５１０または送信制御部５１２を制御する。
【００４７】
ステップ１３０（Ｓ１３０）において、動作制御部５０６は、ＩＣチップ３から設定情報を読み取れなかった旨をＵＩ装置２６（図１）に表示するなどの例外処理を行う。
【００４８】
［変形例］
図９は、第２のＩＣチップ３４の構成を例示する図である。
図１０は、第２の印刷・送信プログラム５４の構成を示す図である。
図９に示すように、第２のＩＣチップ３４は、第１のＩＣチップ３（図４）のメモリ回路３２２およびデータ送受信回路３２４の間に、暗号化部３４０を追加した構成を採る。
また、図１０に示すように、印刷・送信プログラム５４は、印刷・送信プログラム５のデータ読取部５２０と設定選択部５０４との間に復号部５４０を追加し、データ書込部５２２とＩＣチップＩＦ２８（図１，図５）との間に暗号化部５４２を追加した構成を採る。
なお、ＩＣチップ３４の各構成部分の内、ＩＣチップ３の各構成部分と実質的に同一な部分には同一の符号が付してあり、印刷・送信プログラム５４の各構成部分の内、印刷・送信プログラム５の各構成部分と実質的に同一な部分には同一の符号が付してある。
【００４９】
ＩＣチップ３に暗号化部３４０を備え、印刷・送信プログラム５４に復号部５４０を備えた場合には、ＩＣチップ３４において、暗号化部３４０は、クロック信号に同期してメモリ回路３２２からパスワードおよび機密情報などを示すデータを読み出し、暗号化してデータ送受信回路３２４に対して出力する。
暗号化されて出力されたデータは、印刷・送信プログラム５４において、復号部５４０により復号され、図８に示した処理に用いられる。
【００５０】
あるいは、印刷・送信プログラム５４に復号部５４０および暗号化部５４２を備えた場合には、暗号化部５４２により暗号化されたデータがＩＣチップ３に記憶され、ＩＣチップ３に記憶されたデータは、データ読取部５２０により読み出され、復号部５４０により復号されて、図８に示した処理に用いられる。
このように、ＩＣチップ３４においてデータを暗号化し、印刷・送信プログラム５６において暗号化されたデータを復号するようにすることは、情報の機密性を高めるために、暗号化・復号を行わないよりも好適である。
【００５１】
【発明の効果】
以上説明したように、本発明にかかる画像形成システムおよびその方法によれば、記憶させたデータを非接触で読み取ることができる半導体チップを応用して、画像形成の設定を原稿に記憶させることができる。
また、本発明にかかる画像形成システムおよびその方法によれば、上述のように原稿に記憶させた画像形成の設定を用いて、画像形成を行うことができる。
【図面の簡単な説明】
【図１】本発明にかかる画像形成方法が適応されるコピー複合機のハードウェア構成を、その制御装置を中心に例示する図である。
【図２】図１に示した装置本体のハードウェア構成を例示する図である。
【図３】図１，図２に示した原稿用紙を例示する図である。
【図４】図３に示した第１のＩＣチップの構成を示す図である。
【図５】図１，図２に示したＩＣチップＩＦの構成を示す図である。
【図６】制御装置（図１，図２）により実行され、本発明にかかる画像形成方法を実現する第１の印刷・送信プログラムの構成を示す図である。
【図７】印刷・送信プログラムにより印刷用紙に印刷される画像を例示する図である。
【図８】コピー複合機（印刷・送信プログラム）の動作（Ｓ１０）を示すフローチャートである。
【図９】第２のＩＣチップの構成を例示する図である。
【図１０】第２の印刷・送信プログラムの構成を示す図である。
【符号の説明】
１・・・コピー複合機、
１０・・・装置本体、
１２・・・用紙トレイ部、
１４・・・プリントエンジン、
１６・・・スキャナ、
１８・・・原稿送り装置、
２・・・制御装置、
２０・・・制御装置本体、
２０２・・・ＣＰＵ、
２０４・・・メモリ、
２２・・・通信装置、
２４・・・記録装置、
２４０・・・記録媒体、
２６・・・ＵＩ装置、
２８・・・ＩＣチップＩＦ、
２８０・・・アンテナ、
２８２・・・送受信制御回路、
２８４・・・送信回路、
２８６・・・受信回路、
２８８・・・復調回路、
２９０・・・変調回路、
３・・・ＩＣチップ、
３００・・・アンテナ、
３２０・・・クロック再生回路、
３２２・・・メモリ回路、
３２４・・・データ送受信回路、
３４０・・・暗号化回路、
５，５４・・印刷・送信プログラム、
５００・・・画像読取部、
５０２・・・ＵＩ部、
５０４・・・設定選択部、
５０６・・・動作制御部、
５１０・・・印刷制御部、
５１２・・・送信制御部、
５２・・・ＩＣチップ制御部、
５２０・・・データ読取部、
５２２・・・データ書込部、
４０・・・原稿用紙、
４２・・・印刷用紙、
【図１】
2004088583.tif 000003
【図２】
2004088583.tif 000004
【図３】
2004088583.tif 000005
【図４】
2004088583.tif 000006
【図５】
2004088583.tif 000007
【図６】
2004088583.tif 000008
【図７】
2004088583.tif 000009
【図８】
2004088583.tif 000010
【図９】
2004088583.tif 000011
【図１０】
2004088583.tif 000012